(57)【要約】【課題】複数個の電池を同方向に配置したまま、直列接続が容易に可能で、かつ、大電流を取り出すことができる電池を提供する。【解決手段】電池１は、電池本体２とこの電池本体２の上部に装着される導電部材３とを備えている。導電部材３は、電池本体２の周面２ｂの上部を略半周以上に亘って覆うとともに当該周面２ｂに電気的に接続される電気接続部３１と、この電気接続部３１から電池本体２の上面２ａの上方に張り出す張り出し部３２とを有している。そして、電池本体２の上面２ａには第１電極ボルト４が立設されている一方、導電部材３の張り出し部３２には第２電極ボルト５が立設されている。【選択図】図２
2008235166.tif 000002
【特許請求の範囲】
【請求項１】
上面が第１電極を構成し、下面および周面が第２電極を構成する電池本体と、この電池本体の上部に装着される導電部材とを備え、
前記導電部材は、前記電池本体の周面の上部を略半周以上に亘って覆うとともに当該周面に電気的に接続される電気接続部と、この電気接続部から前記電池本体の上面の上方に張り出す張り出し部とを有しており、
前記電池本体の上面には、導電性の第１電極ボルトが立設されている一方、前記導電部材の張り出し部には、導電性の第２電極ボルトが立設されていることを特徴とする電池。
【請求項２】
前記第１電極ボルトと前記第２電極ボルトは、互いに平行となっていることを特徴とする請求項１に記載の電池。
【請求項３】
前記第１電極ボルトは、第１電極側台座部を介して前記電池本体の上面に立設され、前記第２電極ボルトは、第２電極側台座部を介して前記導電部材の張り出し部に立設されており、前記第１電極側台座部の上面と第２電極側台座部の上面は、略同一平面上に位置していることを特徴とする請求項１または２に記載の電池。
【請求項４】
前記電池本体は、上下方向に延びる円柱状の形状を有しており、前記電気接続部は、前記電池本体の周面の上部を全周に亘って覆う円形筒状の形状を有していることを特徴とする請求項１〜３のいずれか１項に記載の電池。
【請求項５】
前記導電部材は、絞り加工によって成形されたものであることを特徴とする請求項４に記載の電池。
【請求項６】
前記電池本体および前記導電部材を径方向の外側から囲繞する絶縁性のカバーをさらに備えることを特徴とする請求項４または５に記載の電池。
【請求項７】
前記第１電極ボルトおよび前記第２電極ボルトは、平面視で前記電池本体の上面の中心を通る線上に配置されていることを特徴とする請求項１〜６のいずれか１項に記載の電池。
【請求項８】
前記第１電極側台座部と第２電極側台座部の形状が異なることを特徴とする請求項１〜７のいずれか１項に記載の電池。
【請求項９】
請求項１〜８のいずれか１項に記載の複数の電池と、これらの電池を横並びに配列した状態で収容するケースと、前記電池を直列に接続するためのバスバーであって前記電池の第１電極ボルトおよび第２電極ボルトがそれぞれ挿通される一対の挿通穴を有するバスバーとを備えることを特徴とする電池パック。
【請求項１０】
前記一対の挿通穴の少なくとも一方は、長穴であることを特徴とする請求項９に記載の電池パック。
【請求項１１】
前記各電池には、第１電極ボルトが挿通穴に挿通されたバスバーと第２電極ボルトが挿通穴に挿通されたバスバーとを隔てるための絶縁性のリブが設けられていることを特徴とする請求項９または１０に記載の電池パック。
【請求項１２】
円形筒状の電気接続部と、この電気接続部の一方の端部から内向きに張り出す張り出し部とを有し、前記張り出し部の外側の面には、導電性のボルトが立設されていることを特徴とする導電部材。
【発明の詳細な説明】
【技術分野】
【０００１】
本発明は、電池およびこの電池複数をケースに収容した電池パックならびに前記電池を構成するための導電部材に関するものである。
【背景技術】
【０００２】
従来、例えば特許文献１に記載されているように、電池パックに用いられる３０Ａ以上の大電流を放電可能な電池が知られている。この電池では、負極を構成する電池ケースの開口端が正極を構成する封口板で閉塞されているとともに、その内部に比較的に多くの電解液が封入されている。
【０００３】
このような電池においては、電解液の漏液による影響を回避するために、封口板の表面が上面となるように電池を配置することが好ましい。このような配置にすると、電池の上面が正極となり、下面および周面が負極となる。
【０００４】
上記のような配置にした場合、例えば複数の電池を横並びに配列した状態で直列に接続しようとすると、一方の電池の周面から負極を上方に引き出して他方の電池の上面に接続する必要がある。この点に関し、特許文献１には、前記のような負極を引き出すための部材として略Ｌ字状の接続板を電池の周面に設けることが記載されている。この接続板は、例えば抵抗溶接にて電池の周面に固定される。
【特許文献１】特許第３２８２５０６号公報
【発明の開示】
【発明が解決しようとする課題】
【０００５】
ところで、電池の周面を構成する電池ケースの周壁の厚みは例えば０．３〜０．４ｍｍと薄く設定されているため、この周壁に、電池を製造した後に接続板を抵抗溶接するには、接続板の板厚も周壁と同程度に薄く設定する必要がある。
【０００６】
しかしながら、接続板の板厚を薄く設定した場合、当該接続板に大電流を流すと接続板が発熱して高温になるため、接続板を介して電池から取り出す電流は３０Ａ程度に抑えることが好ましい。ところが、電池自体は３０Ａ以上の大電流を放電可能な性能を有しているので、負極を上方に引き出す場合でも電池から大電流を取り出せるようにしたいという要望がある。
【０００７】
また、電池の周面に接続板を溶接して接続した場合、限られたスペース内に電池を収納するには、複数の溶接位置の異なる電池を用意する必要があり、製造上の制約が大きく、汎用性に欠けていた。
【０００８】
本発明は、このような事情に鑑み、周面から上方に一方の電極が引き出されかつ大電流を取り出し可能な電池およびこの電池複数をケースに収容した電池パックならびに前記電池を構成するための導電部材を提供することを目的とする。
【課題を解決するための手段】
【０００９】
請求項１に係る発明は、上面が第１電極を構成し、下面および周面が第２電極を構成する電池本体と、この電池本体の上部に装着される導電部材とを備え、前記導電部材は、前記電池本体の周面の上部を略半周以上に亘って覆うとともに当該周面に電気的に接続される電気接続部と、この電気接続部から前記電池本体の上面の上方に張り出す張り出し部とを有しており、前記電池本体の上面には、導電性の第１電極ボルトが立設されている一方、前記導電部材の張り出し部には、導電性の第２電極ボルトが立設されていることを特徴とする電池である。
【００１０】
この構成によれば、電気接続部および張り出し部を有する導電部材によって電池本体の周面から電池本体の上面の上方に第２電極（一方の電極）が引き出されている。そして、電池本体の周面に電気的に接続される前記電気接続部は、電池本体の周面の上部を略半周以上に亘って覆うものであるので、この電気接続部の厚みが溶接の観点から薄く設定されていても、電池本体の周面に沿う方向の長さで比較的に大きな断面積を確保することができる。しかも、電池本体の上面の上方に位置する前記張り出し部には、溶接の観点からの制約もないため、張り出し部の厚みや形状は自由に設定することができる。従って、導電部材に大電流を流しても導電部材の発熱を抑えることが可能になるため、周面から第２電極を上方に引き出した構成で電池から大電流を取り出すことができるようになる。
【００１１】
さらに、本発明では、電池本体の上面および導電部材の張り出し部に第１電極ボルトと第２電極ボルトが立設されているので、これらのボルトに大電流を流すための通電部材をナットによる締結によって簡単に接続することができる。例えば、複数の電池を横並びに配列した状態で直列に接続するには、前記通電部材として板厚の厚いバスバーや圧着端子付のリード線等を用いることができ、これらの部材で一方の電池の第１電極ボルトと他方の電池の第２電極ボルトとを連結すればよい。そして、このような通電部材を用いることにより、電池を直列に接続する際にも大電流を流すことができるようになる。
【００１２】
請求項２に係る発明は、請求項１に記載の電池において、前記第１電極ボルトと前記第２電極ボルトは、互いに平行となっていることを特徴とするものである。
【００１３】
この構成によれば、第１電極ボルトと第２電極ボルトが互いに平行になっているので、これらのボルトに上方からナットを螺合させる作業が容易になるとともに、複数の電池を横並びに配列した状態で直列に接続する際には、一方の電池の第１電極ボルトと他方の電池の第２電極ボルトとを捩れのない通電部材で連結することができるようになる。
【００１４】
請求項３に係る発明は、請求項１または２に記載の電池において、前記第１電極ボルトは、第１電極側台座部を介して前記電池本体の上面に立設され、前記第２電極ボルトは、第２電極側台座部を介して前記導電部材の張り出し部に立設されており、前記第１電極側台座部の上面と第２電極側台座部の上面は、略同一平面上に位置していることを特徴とするものである。
【００１５】
この構成によれば、第１電極側台座部と第２電極側台座部によって前記のような通電部材との接触面積を大きく確保することができる。また、第１電極側台座部の上面と第２電極側台座部の上面とが略同一平面上に位置しているので、隣り合う電池を直列につなぐ際にはフラットなバスバーを用いることができる。
【００１６】
請求項４に係る発明は、請求項１〜３のいずれか１項に記載の電池において、前記電池本体は、上下方向に延びる円柱状の形状を有しており、前記電気接続部は、前記電池本体の周面の上部を全周に亘って覆う円形筒状の形状を有していることを特徴とするものである。
【００１７】
この構成によれば、電気接続部における電池本体の周面に沿う方向の長さを最大とした上で導電部材を簡単な形状にすることができるとともに、導電部材を例えば絞り加工によって簡単に成形することが可能になる。
【００１８】
請求項５に係る発明は、請求項４に記載の電池において、前記導電部材は、絞り加工によって成形されたものであることを特徴とするものである。
【００１９】
この構成によれば、張り出し部の厚みが電気接続部の厚みよりも厚く設定された導電部材とすることができ、大電流を流すのに好適な構成とすることができる。
【００２０】
請求項６に係る発明は、請求項４または５に記載の電池において、前記電池本体および前記導電部材を径方向の外側から囲繞する絶縁性のカバーをさらに備えることを特徴とするものである。
【００２１】
この構成によれば、例えば金属製のケースに電池を収容する場合には、絶縁性のカバーによって電池本体または導電部材とケースとの絶縁を図ることができる。また、導電部材の電気接続部は円形筒状の形状を有しているので、カバーを単純な形状とすることができる。
【００２２】
例えば、請求項７に係る発明のように、請求項１〜６のいずれか１項に記載の電池において、前記第１電極ボルトおよび前記第２電極ボルトは、平面視で前記電池本体の上面の中心を通る線上に配置されている構成とすることができる。
【００２３】
請求項８に係る発明は、請求項１〜７のいずれか１項に記載の電池において、前記第１電極側台座部と第２電極側台座部の形状が異なることを特徴とするものである。
【００２４】
この構成によれば、第１電極ボルトであるか第２電極ボルトであるかを一目で見分けることができるようになる。
【００２５】
請求項９に係る発明は、請求項１〜８のいずれか１項に記載の複数の電池と、これらの電池を横並びに配列した状態で収容するケースと、前記電池を直列に接続するためのバスバーであって前記電池の第１電極ボルトおよび第２電極ボルトがそれぞれ挿通される一対の挿通穴を有するバスバーとを備えることを特徴とする電池パックである。
【００２６】
この構成によれば、上述した電池を直列に接続した大電流を放電可能な電池パックとすることができる。
【００２７】
請求項１０に係る発明は、請求項９に記載の電池パックにおいて、前記一対の挿通穴の少なくとも一方は、長穴であることを特徴とするものである。
【００２８】
ここで、バスバーの挿通穴が丸穴であると、例えば電池を直列に接続するラインの折り返し点では、第１電極ボルトと第２電極ボルトの距離が直線ライン部分に比べて長くなるため、複数種類のバスバーが必要になることがあるが、請求項１０に係る発明のように、一対の挿通穴の少なくとも一方が長穴あれば、少ない種類のバスバーで電池を直列に接続することが可能になる。
【００２９】
請求項１１に係る発明は、請求項９または１０に記載の電池パックにおいて、前記各電池には、第１電極ボルトが挿通穴に挿通されたバスバーと第２電極ボルトが挿通穴に挿通されたバスバーとを隔てるための絶縁性のリブが設けられていることを特徴とするものである。
【００３０】
この構成によれば、絶縁性のリブによって、第１電極ボルトが挿通穴に挿通されたバスバーと第２電極ボルトが挿通穴に挿通されたバスバーとの接触による短絡を確実に防止することができる。
【００３１】
請求項１２に係る発明は、円形筒状の電気接続部と、この電気接続部の一方の端部から内向きに張り出す張り出し部とを有し、前記張り出し部の外側の面には、導電性のボルトが立設されていることを特徴とする導電部材である。
【００３２】
この構成によれば、既存の電池に導電部材を装着するだけで、既存の電池に対しても負極を上方に引き出すことができるとともに大電流を取り出すことができるようになる。
【発明の効果】
【００３３】
以上説明したように、本発明によれば、負極を上方に引き出した構成で電池から大電流を取り出すことができるようになる。
【発明を実施するための最良の形態】
【００３４】
以下、本発明を実施するための最良の形態について、図面を参照しながら詳細に説明する。
【００３５】
図１および図２に、本発明の一実施形態に係る電池１を示す。この電池１は、バックアップ用または産業用機器の電源として用いられるものであり、上下方向に延びる円柱状の電池本体２と、この電池本体２の上部に装着される導電部材３と、この導電部材３および前記電池本体２をまとめて径方向の外側から囲繞する絶縁性のカバー６とを備えている。
【００３６】
前記電池本体２は、直径約６０ｍｍ、高さ約１８０ｍｍの大きさの３０Ａ以上の大電流を放電可能なものであり、正極（第１電極）を構成する封口板２２と、負極（第２電極）を構成する電池ケース２１とを有している。そして、電池ケース２１の開口端が封口板２２で閉塞されているとともに、その内部に比較的に多くの電解液が封入されている。また、電池本体２は、封口板２２の表面が上面となるように配置されていて、上面２ａが正極を構成し、下面（図示せず）および周面２ｂが負極を構成している。
【００３７】
より詳しくは、電池ケース２１は、円形板状の底壁（図示せず）およびこの底壁の周縁部から上方に立ち上がる円形筒状の周壁２１ａを有しており、封口板２２は、周壁２１ａの内径よりも一回り小さな直径を有する円形板状をなしている。そして、封口板２２は、図略の樹脂からなる絶縁性のガスケットを介して周壁２１ａの上端部の内側に嵌め込まれた状態でかしめられて周壁２１ａに固定されている。なお、周壁２１ａの厚みは、例えば０．３〜０．４ｍｍである。
【００３８】
また、封口板２２の表面の中央には、当該封口板２２の略半分程度の直径を有する円形板状の取付板２３が取り付けられており、この取付板２３に、平面視で円形状の凸部２４ａを有するハット状の電極板２４が取り付けられている。
【００３９】
さらに、電池本体２の上面２ａには、絶縁性の樹脂からなる円形板状の絶縁板２５が被せられている。この絶縁板２５には、中央に貫通孔２５ａが設けられていて、この貫通孔２５ａを通じて前記電極板２４の凸部２４ａが絶縁板２５よりも上方に突出している。
【００４０】
さらには、電極板２４の凸部２４ａのフラットな先端面には、導電性の金属からなる偏心板４２が例えば抵抗溶接で接合されている。この偏心板４２は、電池本体２の上面２ａに沿って当該上面２ａの中心から直径の略４分の１の位置まで拡幅しながら延びていて、両端は丸みを帯びた形状に形成されている。
【００４１】
そして、前記偏心板４２の上面に、導電性の金属からなる円形板状の正極側台座部（第１電極側台座部）４１を介して導電性の金属からなる正極ボルト（第１電極ボルト）４が立設されている。換言すれば、電池本体２の上面２ａに、偏心板４２および正極側台座４１を介して正極ボルト４が立設されている。
【００４２】
前記正極ボルト４を偏心板４２に立設するには、正極ボルト４と正極側台座部４１を一体に有するスタッドボルトを偏心板４２に抵抗溶接すればよい。あるいは、まず正極側台座部４１を偏心板４２に抵抗溶接し、その後に正極側台座部４１に正極ボルト４のみからなるスタッドボルトを抵抗溶接してもよい。
【００４３】
前記導電部材３は、導電性の金属板が絞り加工によって成形されたものであり、電池本体２の周面２ｂの上部を全周に亘って覆う円形筒状の電気接続部３１と、この電気接続部３１の上端部の全周から内向きに張り出して電池本体２の上面２ａの上方に位置する張り出し部３２とを有している。電気接続部３１の厚みは、例えば０．４ｍｍであり、張り出し部３２は、電気接続部３１よりも大きな厚みを有している。また、電気接続部３１の高さは、例えば３ｃｍである。
【００４４】
前記張り出し部３２は、図３に示すように、平面視で電池本体２の上面２ａにおける直径の略３分の１の位置を通る直線で区切られる領域のうち面積の狭い方に重なり合う形状の切円部３２ａと、前記領域のうち面積の広い方における円弧状の周縁部に重なり合う形状の縁取り部３２ｂとを有している。そして、切円部３２ａと縁取り部３２ｂで囲まれて、開口３３が形成されている。
【００４５】
前記電気接続部３１には、下端部から切り込まれた複数のスリット３１ａが円周上等間隔で設けられている。そして、電気接続部３１は、導電部材３が電池本体２に上方から被せられて張り出し部３２が前記絶縁板２５の上面に載置された状態で、抵抗溶接機の電極がスリット３１ａを挟むように配置されて電池本体２の周面２ｂに抵抗溶接されることにより、当該周面２ｂに電気的に接続される。すなわち、スリット３１ａは、抵抗溶接する際の分流を防ぐためのものである。なお、スリット３１ａの数は、図例では４点で溶接することを想定して４つであるが、例えば８点で溶接する場合は８つであってもよい。
【００４６】
前記張り出し部３２の切円部３２ａの上面には、導電性の金属からなる円形板状の負極側台座部（第２電極側台座部）５１を介して導電性の金属からなる負極ボルト（第２電極ボルト）５が立設されている。すなわち、この負極ボルト５は、前記正極ボルト４と平行になっている。また、負極ボルト５および正極ボルト４は、平面視で電池本体２の上面２ａの中心を通る線上に配置されている。なお、負極側台座部５１の厚みは、当該負極側台座部５１の上面が前記正極側台座部４１の上面と略同一平面上に位置するように所定の厚さに設定されている。
【００４７】
前記負極ボルト５を切円部３２ａに立設するには、負極ボルト５と負極側台座部５１を一体に有するスタッドボルトを切円部３２ａに抵抗溶接すればよい。あるいは、まず負極側台座部５１を切円部３２ａに抵抗溶接し、その後に負極側台座部５１に負極ボルト５のみからなるスタッドボルトを抵抗溶接してもよい。このような抵抗溶接は、導電部材３を電池本体２に装着する前に行うことができるため、切円部３２ａの厚みに対して十分に厚い負極側台座部５１を溶接することができる。
【００４８】
以上説明したように、本実施形態に係る電池１では、電気接続部３１および張り出し部３２を有する導電部材３によって電池本体２の周面２ｂから電池本体２の上面２ａの上方に負極が引き出されている。そして、電池本体２の周面２ｂに電気的に接続される前記電気接続部３１は、電池本体２の周面２ｂの上部を略半周以上に亘って覆うものであるので、この電気接続部３１の厚みが溶接の観点から薄く設定されていても、電池本体２の周面２ｂに沿う方向、すなわち周方向の長さで比較的に大きな断面積を確保することができる。しかも、電池本体２の上面２ａの上方に位置する前記張り出し部３２には、溶接の観点からの制約もないため、張り出し部３２の厚みや形状は自由に設定することができる。従って、導電部材３に大電流を流しても導電部材３の発熱を抑えることが可能になるため、負極を上方に引き出した構成で電池１から大電流を取り出すことができるようになる。
【００４９】
さらに、本実施形態では、電池本体２の上面２ａおよび導電部材３の張り出し部３２に正極ボルト４と負極ボルト５が立設されているので、これらのボルト４，５に大電流を流すための通電部材をナット８（図４（ａ）参照）による締結によって簡単に接続することができる。例えば、図４（ａ）に示すように、複数の電池１を横並びに配列した状態で直列に接続するには、前記通電部材として板厚の厚い（例えば２〜３ｍｍ）バスバー７Ａや圧着端子付のリード線（図示せず）等を用いることができ、これらの部材で一方の電池１の正極ボルト４と他方の電池１の負極ボルト５とを連結すればよい。そして、このような通電部材を用いることにより、電池１を直列に接続する際にも大電流（例えば１００Ａ）を流すことができるようになる。
【００５０】
しかも、本実施形態では、正極ボルト４と負極ボルト５が互いに平行になっているので、これらのボルト４，５に上方からナット８を螺合させる作業が容易になるとともに、複数の電池１を横並びに配列した状態で直列に接続する際には、一方の電池１の正極ボルト４と他方の電池１の負極ボルト５とを捩れのない通電部材で連結することができるようになる。
【００５１】
また、本実施形態では、正極ボルト４および負極ボルト５が正極側台座部４１および負極台座部５１を介して電池本体２の上面２ａまたは導電部材３の張り出し部３２に立設されているので、正極側台座部４１と負極側台座部５１によって前記のような通電部材との接触面積を大きく確保することができる。また、正極側台座部４１の上面と負極側台座部５１の上面とが略同一平面上に位置しているので、隣り合う電池１を直列につなぐ際にはフラットなバスバー７Ａを用いることができる。
【００５２】
さらに、本実施形態における導電部材３を用いれば、この導電部材３を既存の電池に装着するだけで、既存の電池に対しても負極を上方に引き出すことができるとともに大電流を取り出すことができるようになる。
【００５３】
また、導電部材３は、絞り加工によって成形されたものであるので、張り出し部３２の厚みが電気接続部３１の厚みよりも厚く設定された導電部材３とすることができ、大電流を流すのに好適な構成とすることができる。すなわち、張り出し部３２の切円部３２ａは電気接続部３１に比べて面積が小さく設定されているため、切円部３２ａの厚みを厚く設定しておくことにより抵抗を小さくして大電流を取り出すことができる。
【００５４】
さらに、電池本体２および導電部材３が径方向の外側から絶縁性のカバー６で囲繞されているので、例えば金属製のケースに電池１を収容する場合には、カバー６によって電池本体２または導電部材３とケースとの絶縁を図ることができる。また、導電部材３の電気接続部３１は円形筒状の形状を有しているので、カバー６を単純な形状とすることができる。
【００５５】
次に、図５に、本実施形態に係る電池１を複数用いて構成した電池パック１０を示す。この電池パック１０は、前記電池１を横並びに配列した状態（図例では、直線上に６個並べた列を３列）で収容するケース９と、前記電池１を直列に接続するためのバスバー７Ｂとを備えている。バスバー７Ｂは、両端が丸みを帯びた短冊状をなしていて、例えば２〜３ｍｍと厚い板厚を有しているとともに、前記電池１の正極ボルト４および負極ボルト５がそれぞれ挿通される一対の挿通穴７１を有している。この挿通穴７１は、バスバー７Ｂの長手方向に延びる長穴となっている。そして、隣り合う電池１の正極ボルト４と負極ボルト５にバスバー７Ｂが掛け渡されることにより、全ての電池１が直列に接続されている。
【００５６】
このような構成であれば、上述した電池１を直列に接続した大電流を放電可能な電池パック１０とすることができる。さらに、ナット８（図５では省略）を緩めてバスバー７Ｂを取り外すだけの簡単な作業で電池１を交換することができるようになるため、電池パック１０のメンテナンスの作業性が良好になる。
【００５７】
図５に示す電池パック１０では、挿通穴７１が長穴のバスバー７Ｂが採用されているが、図４（ｂ）に示すような挿通穴７１が丸穴のバスバー７Ａを採用することも可能である。ただし、挿通穴７１が丸穴であると、電池１を直列に接続するラインの折り返し点（図５の左上部分および右下部分）では、正極ボルト４と負極ボルト５の距離が直線ライン部分に比べて長くなるため、複数種類のバスバー７Ａが必要になるが、図５に示すようにバスバー７Ｂの挿通穴７１が長穴あれば、少ない種類（図例では１種類）のバスバー７Ｂで電池１を直列に接続することが可能になる。なお、この効果は、一対の挿通穴７１の両方が長穴でなくても、少なくとも一方が長穴となっていれば得ることができる。
【００５８】
さらに、図５に示す電池パック１０では、各電池１の正極ボルト４と負極ボルト５の間にリブ２６が設けられている。このリブ２６は、正極ボルト４が挿通穴７１に挿通されたバスバー７Ｂと負極ボルト５が挿通穴７１に挿通されたバスバー７Ｂとを隔てるためのものであり、図６に示すように、絶縁板２５に一体に設けられていて、正極ボルト４および負極ボルト５よりも高い位置まで立ち上がっている。
【００５９】
この構成によれば、絶縁性のリブ２６によって、正極ボルト４が挿通穴７１に挿通されたバスバー７Ｂと負極ボルト５が挿通穴７１に挿通されたバスバー７Ｂとの接触による短絡を確実に防止することができる。なお、本効果は、挿通穴７１が丸穴のバスバー７Ａでも同様である。
【００６０】
なお、前記実施形態では、導電部材３の電気接続部３１が電池本体２の周面２ｂの上部を全周に亘って覆う円形筒状の形状を有しているが、電気接続部３１は、電池本体２の周面２ｂの上部を略半周以上に亘って覆うように平面視で半円弧状または略Ｃ字状の形状を有していてもよい。このような構成でも、電池本体２の周面２ｂに沿う方向の長さで比較的に大きな断面積を確保することができる。ただし、前記実施形態のように、電気接続部３１が円形筒状になっていれば、電気接続部における電池本体２の周面２ｂに沿う方向の長さを最大とした上で導電部材３を簡単な形状にすることができるとともに、導電部材３を例えば絞り加工によって簡単に成形することが可能になる。
【００６１】
また、図７に示すように、絶縁板２５の所定位置に貫通孔２５ｂを設け、この貫通孔２５ｂを通じて正極側台座部４１を封口板２２に直接溶接して、正極ボルト４を直接的に電池本体２の上面２ａに立設してもよい。この場合は、絶縁板２５に、電極板２４を上方から覆う蓋部２５ｃを設け、この蓋部２５ｃにリブ２６を設けてもよい。さらにこの場合は、正極ボルト４であるか負極ボルト５であるかを一目で見分けることができるようにするために、台座部４１，５１のうちの一方を平面視で例えば正方形状にして、それらの形状が互いに異なるようにしてもよい。
【００６２】
また、電池本体２の形状は、円柱状である必要はなく、多角形柱状であってもよい。
【００６３】
さらに、電池本体２は、上面２ａが負極を構成し、下面および周面２ｂが正極を構成するものであってもよい。
【図面の簡単な説明】
【００６４】
【図１】本発明の一実施形態に係る電池の斜視図である。
【図２】本発明の一実施形態に係る電池の断面図である。
【図３】導電部材の斜視図である。
【図４】（ａ）は２つの電池を直列に接続する要領を説明する説明図、（ｂ）はその接続に用いられるバスバーの平面図である。
【図５】変形例の電池をケースに収容した電池パックの平面図である。
【図６】変形例の電池の断面図である。
【図７】他の変形例の電池の断面図である。
【符号の説明】
【００６５】
１    電池
２    電池本体
２ａ  上面
２ｂ  周面
２６  リブ
３    導電部材
３１  電気接続部
３２  張り出し部
４    正極ボルト（第１電極ボルト）
４１  正極側台座部（第１電極側台座部）
５    負極ボルト（第２電極ボルト）
５１  負極側台座部（第２電極側台座部）
６    カバー
７Ａ，７Ｂ  バスバー
７１  挿通穴
９    ケース
１０  電池パック
【図１】
2008235166.tif 000003
【図２】
2008235166.tif 000004
【図３】
2008235166.tif 000005
【図４】
2008235166.tif 000006
【図５】
2008235166.tif 000007
【図６】
2008235166.tif 000008
【図７】
2008235166.tif 000009